(57)【要約】【課題】レシート、チケット、金券などの各種の画像記録媒体を少ない手間で適切に保管できるようにする。【解決手段】携帯端末１０は、複合機３０へスキャン命令を送信することにより、画像が記録された媒体（例えばレシート）からその画像をスキャンさせ、そのスキャンデータを取得する。また、携帯端末１０は、その媒体の保管場所を示す保管場所情報の入力を受け付け、入力された保管場所情報を、スキャンデータが示す画像関連情報と共に登録する。そして、特定のタイミングで、各情報を表示する。【選択図】図３
2016143186.tif 000002
【特許請求の範囲】
【請求項１】
画像を表示可能な表示部と、
情報を記憶可能な記憶部と、
画像を読み取り可能な画像読取装置とデータ通信を行うための通信部と、
プログラムに従った処理を実行する制御部と、
を備える情報処理装置において、画像が記録された媒体を管理するための、前記制御部が実行可能な媒体管理プログラムであって、
前記制御部に、
前記画像読取装置に対し、前記媒体に記録されている画像を読み取らせるための読取命令を前記通信部を介して送信させる送信処理と、
前記読取命令に基づいて前記画像読取装置で読み取られた前記画像の画像データを前記画像読取装置から前記通信部を介して受信する受信処理と、
前記媒体の保管場所を示す保管場所情報を取得する情報取得処理と、
前記媒体毎に、前記受信処理により受信された前記画像データを特定可能な画像関連情報と前記情報取得処理により取得された前記保管場所情報とを対応付けて前記記憶部に記憶させる記憶処理と、
前記記憶部に記憶されている、特定の前記媒体に対応した前記画像関連情報及び前記保管場所情報を出力する情報出力処理と、
を実行させるための媒体管理プログラム。
【請求項２】
請求項１に記載の媒体管理プログラムであって、
前記情報出力処理では、前記画像関連情報を前記表示部に表示させ、且つ、前記保管場所情報を特定の出力方法によって出力させる
ことを特徴とする媒体管理プログラム。
【請求項３】
請求項２に記載の媒体管理プログラムであって、
前記情報出力処理では、前記画像関連情報として、少なくとも、前記画像データが示す画像を、前記表示部に表示させる
ことを特徴とする媒体管理プログラム。
【請求項４】
請求項２又は請求項３に記載の媒体管理プログラムであって、
前記情報取得処理では、前記保管場所情報として、前記保管場所を示す保管場所画像のデータである場所画像データを取得し、
前記情報出力処理では、前記記憶部に前記保管場所情報として前記場所画像データが記憶されている場合、前記場所画像データが示す前記保管場所画像を前記表示部に表示させる
ことを特徴とする媒体管理プログラム。
【請求項５】
請求項２〜請求項４の何れか１項に記載の媒体管理プログラムであって、
前記情報処理装置は、音声信号を出力可能な音声信号出力部を備え、
当該媒体管理プログラムは、
前記情報取得処理では、前記保管場所情報として、前記保管場所を示す音声のデータである場所音声データを取得し、
前記情報出力処理では、前記記憶部に前記保管場所情報として前記場所音声データが記憶されている場合、前記場所音声データが示す前記音声信号を前記音声信号出力部に出力させる
ことを特徴とする媒体管理プログラム。
【請求項６】
請求項２〜請求項５の何れか１項に記載の媒体管理プログラムであって、
前記情報取得処理では、前記保管場所情報として、前記保管場所を示すテキストのデータである場所テキストデータを取得し、
前記情報出力処理では、前記記憶部に前記保管場所情報として前記場所テキストデータが記憶されている場合、前記場所テキストデータが示す前記テキストを前記表示部に表示させる
ことを特徴とする媒体管理プログラム。
【請求項７】
請求項１〜請求項６の何れか１項に記載の媒体管理プログラムであって、
前記画像データが示す画像から、その画像に含まれているテキストである媒体記録テキストを認識するテキスト認識処理を有し、
前記情報出力処理では、前記画像関連情報として、前記テキスト認識処理で認識された前記媒体記録テキストを前記表示部に表示させる
ことを特徴とする媒体管理プログラム。
【請求項８】
請求項７に記載の媒体管理プログラムであって、
前記テキスト認識処理によって認識された前記媒体記録テキストの中から、前記媒体の利用期限を示す期限情報を抽出する期限情報抽出処理と、
前記期限情報抽出処理により抽出された前記期限情報に基づく特定の期限関連処理と、
を有することを特徴とする媒体管理プログラム。
【請求項９】
請求項８に記載の媒体管理プログラムであって、
前記期限関連処理として、前記期限情報に基づく出力タイミングで前記情報出力処理を実行させ、且つその情報出力処理において少なくとも前記期限情報を出力させる出力指示処理を有する
ことを特徴とする媒体管理プログラム。
【請求項１０】
請求項８に記載の媒体管理プログラムであって、
前記期限関連処理として、
前記期限情報を特定の期限管理モジュールに通知する通知処理と、
前記期限管理モジュールから、前記期限情報に基づく特定の報知タイミングで通知される、前記期限情報の報知要求を取得する報知要求取得処理と、
前記報知要求取得処理により前記報知要求が取得された場合に、その報知要求に基づく出力タイミングで前記情報出力処理を実行させ、且つその情報出力処理において少なくとも前記報知要求に対応した前記期限情報を出力させる出力指示処理と、
を有することを特徴とする媒体管理プログラム。
【請求項１１】
前記画像読取装置に対し、前記媒体に記録されている画像を読み取らせるための読取命令を送信する送信ステップと、
前記読取命令に基づいて前記画像読取装置で読み取られた前記画像の画像データを受信する受信ステップと、
前記媒体の保管場所を示す保管場所情報を取得する情報取得ステップと、
前記媒体毎に、前記受信ステップで受信した前記画像データを特定可能な画像関連情報と前記情報取得ステップで取得された前記保管場所情報とを対応付けて記憶する記憶ステップと、
前記記憶ステップで記憶した、特定の前記媒体に対応した前記画像関連情報及び前記保管場所情報を出力する情報出力ステップと、
を有することを特徴とする媒体管理方法。
【請求項１２】
画像を表示可能な表示部と、
情報を記憶可能な記憶部と、
画像を読み取り可能な画像読取装置とデータ通信を行うための通信部と、
制御部と、
を備える情報処理装置であって、
前記制御部は、
前記画像読取装置に対し、前記媒体に記録されている画像を読み取らせるための読取命令を前記通信部を介して送信させる送信処理と、
前記読取命令に基づいて前記画像読取装置で読み取られた前記画像の画像データを前記画像読取装置から前記通信部を介して受信する受信処理と、
前記媒体の保管場所を示す保管場所情報を取得する情報取得処理と、
前記媒体毎に、前記受信処理により受信された前記画像データを特定可能な画像関連情報と前記情報取得処理により取得された前記保管場所情報とを対応付けて前記記憶部に記憶させる記憶処理と、
前記記憶部に記憶されている、特定の前記媒体に対応した前記画像関連情報及び前記保管場所情報を出力する情報出力処理と、
を実行することを特徴とする情報処理装置。
【発明の詳細な説明】
【技術分野】
【０００１】
本発明は、画像が記録された媒体を管理するための、媒体管理プログラム、媒体管理方法、及び情報処理装置に関する。
【背景技術】
【０００２】
日常生活の中では、例えばレシート、クーポン券、チケット、各種金券、各種通知書などの、目的に応じた情報の画像が記録された様々な種類の画像記録媒体を受領することがある。これら画像記録媒体を、できる限り少ない手間で、適切に保管したり有効利用したりすることができると便利である。
【０００３】
特許文献１には、レシートの内容を光学的に読み取って文字認識し、その認識結果に基づいて家計簿処理を行う技術が開示されている。この技術によれば、画像記録媒体としてのレシートを有効利用できる。
【先行技術文献】
【特許文献】
【０００４】
【特許文献１】特開２００４−１６４２１８号公報
【発明の概要】
【発明が解決しようとする課題】
【０００５】
レシートは、すぐに捨てられることが多く、また上述のような家計管理の目的で利用される場合もその利用後は捨てられることが多いが、種々の目的で保管されることもある。クーポン券やチケット、各種金券などのいわゆる有価証券については、当然ながら、少なくとも使用可能な期間内は保管されることがほとんどである。このように、各種の画像記録媒体を種々の目的で一定期間あるいは永続的に保管することは多い。
【０００６】
しかし、画像記録媒体毎に保管場所をしっかり決めて保管することは面倒な作業であって、実際には、画像記録媒体を入手する度にいろいろな場所に保管してしまうことが少なくない。そのため、いざ、ある画像記録媒体が必要になったとしても、それをどこに保管したのか忘れてしまって見つけるのに時間がかかることが多い。このような問題は、保管対象の画像記録媒体の種類や数が多いほど顕著となる。
【０００７】
本発明は上記課題に鑑みなされたものであり、各種の画像記録媒体を少ない手間で適切に保管できるようにすることを目的とする。
【課題を解決するための手段】
【０００８】
上記課題を解決するためになされた本発明は、画像を表示可能な表示部と、情報を記憶可能な記憶部と、画像を読み取り可能な画像読取装置とデータ通信を行うための通信部と、プログラムに従った処理を実行する制御部と、を備える情報処理装置において、画像が記録された媒体を管理するための、制御部が実行可能な媒体管理プログラムである。具体的に、当該媒体管理プログラムは、制御部に実行させる処理として、送信処理と、受信処理と、情報取得処理と、記憶処理と、情報出力処理と、を有する。
【０００９】
送信処理は、画像読取装置に対し、媒体に記録されている画像を読み取らせるための読取命令を通信部を介して送信させる処理である。受信処理は、読取命令に基づいて画像読取装置で読み取られた画像の画像データを画像読取装置から通信部を介して受信する処理である。情報取得処理は、媒体の保管場所を示す保管場所情報を取得する処理である。記憶処理は、媒体毎に、受信処理により受信された画像データを特定可能な画像関連情報と、情報取得処理により取得された保管場所情報とを対応付けて、記憶部に記憶させる処理である。情報出力処理は、記憶部に記憶されている、特定の媒体に対応した画像関連情報及び保管場所情報を出力する処理である。
【００１０】
このように構成された媒体管理プログラムを制御部が実行することで、画像読取装置に対して媒体から画像を読み取らせてその読み取り結果である画像データを取得することができる。そして、その媒体に関し、取得した画像データを特定可能な画像関連情報とその媒体の保管場所情報とを記憶部に記憶させておき、それら各情報を出力させることができる。
【００１１】
従って、上記構成の媒体管理プログラムによれば、各種の画像記録媒体を少ない手間で適切に保管することが可能となる。
【図面の簡単な説明】
【００１２】
【図１】実施形態の媒体管理システムの概略構成を示すブロック図である。
【図２】レシートの一例を示す説明図である。
【図３】媒体管理システムの動作例を示す説明図である。
【図４】媒体情報画面（保管場所保存前）を示す説明図である。
【図５】保管場所入力画面を示す説明図である。
【図６】媒体情報画面（保管場所保存後）を示す説明図である。
【図７】媒体情報テーブルを示す説明図である。
【図８】リマインド一覧画面を示す説明図である。
【図９】媒体管理処理の一部を示すフローチャートである。
【図１０】媒体管理処理の一部（図９の続き）を示すフローチャートである。
【発明を実施するための形態】
【００１３】
以下、本発明が適用された実施形態について、図面を用いて説明する。
（１）媒体管理システムの説明
本実施形態の媒体管理システムは、図１に示すように、携帯端末１０と、複合機３０と、ＡＰ（アクセスポイントの略称）１５０と、ルータ１５１と、サーバ１６０とを備える。
【００１４】
携帯端末１０は、例えばスマートフォン、タブレット端末などの、携帯して使用可能な情報処理装置である。携帯端末１０は、ＣＰＵ１１、ＲＯＭ１２、ＲＡＭ１３、記憶部１４、操作キー１５、ＬＣＤ１６、タッチパネル１７、メモリカードインタフェース部（以下「メモリカードＩ／Ｆ」と称す）１８、音声入出力部１９、撮影部２０、第１無線通信部２１、及び第２無線通信部２２を備える。これら各部は、バスライン２３を介して互いに接続される。
【００１５】
ＣＰＵ１１は、ＲＯＭ１２及び記憶部１４に記憶されているプログラムやデータに従って、バスライン２３を介して接続された各部を制御する。記憶部１４は、記憶内容を電気的に書き換え可能な不揮発性のメモリである。記憶部１４には、各種のソフトウェアやデータが記憶されている。本実施形態では、記憶部１４に、少なくとも、ＯＳ（オペレーティングシステムの略称）２６と、２つのアプリケーションソフト（以下「アプリ」と略す）が記憶されている。２つのアプリのうち１つは媒体管理アプリ２７であり、もう一つはリマインドアプリ２８である。各アプリ２７，２８は、複合機３０のベンダによって提供されるアプリである。
【００１６】
媒体管理アプリ２７は、各種情報の画像が記録された媒体を複合機３０でスキャンさせ、そのスキャンデータに基づいてその媒体を管理するためのアプリである。なお、媒体に記録されている画像を、以下、媒体記録画像という。
【００１７】
媒体管理アプリ２７によって実現される機能として、主に、スキャン制御機能、ＯＣＲ（Optical character recognition の略称）機能、地図情報取得機能、及び媒体管理機能がある。
【００１８】
スキャン制御機能は、複合機３０に対してスキャン命令を送信することにより複合機３０に媒体記録画像のスキャン（即ち媒体記録画像の読み取り）を実行させ、そのスキャン結果（即ち読み取られた媒体記録画像のデータ。以下「スキャンデータ」という。）を複合機３０から取得する機能である。ＯＣＲ機能は、スキャンデータが示す媒体記録画像からテキストを抽出、認識してそのテキストデータを生成する機能である。地図情報取得機能は、ＯＣＲ機能によって認識されたテキストの中に地理的な場所を特定可能な情報が含まれている場合に、その情報に基づいてその場所を含む特定範囲の地図のデータを取得して表示させる機能である。媒体管理機能は、スキャンデータに基づいて、上記ＯＣＲ機能で生成されたテキストデータ及び上記地図情報取得機能で得られた地図データも含め、スキャン対象の媒体に関する各種情報（以下「媒体情報」ともいう）を登録することによりその媒体を管理する機能である。登録可能な媒体情報には、媒体の保管場所を示す保管場所情報が含まれる。
【００１９】
リマインドアプリ２８は、当日又は特定日数後の予定をユーザに通知するためのアプリである。例えば、リマインドアプリ２８を利用して、期限日が設定されている事項を予め登録しておくことで、期限日当日又は期限日よりも特定日数前に、その事項に関する情報を自動的に通知させることができる。
【００２０】
なお、以下の説明では、各アプリ２７，２８やＯＳ２６などのプログラムを実行するＣＰＵ１１のことを、単にプログラム名でも記載する場合がある。例えば「媒体管理アプリ２７が」という記載は、「媒体管理アプリ２７を実行するＣＰＵ１１が」を意味する場合がある。
【００２１】
ＲＡＭ１３は、ＣＰＵ１１が各種プログラムを実行する際に各種データを一時的に記憶するための揮発性のメモリである。操作キー１５は、携帯端末１０のユーザが携帯端末１０に対して各種の情報や指示等を入力するためのメカニカルキーである。ＬＣＤ１６は、各種画面を表示可能な液晶表示装置である。タッチパネル１７は、指や棒などの指示体を接触または接近させることによって携帯端末１０に対する入力操作を受け付け可能な周知の入力デバイスであり、ＬＣＤ１６に重畳して設けられている。
【００２２】
メモリカードＩ／Ｆ１８は、書き換え可能な不揮発性のメモリカード（不図示）が装着されるインタフェース部であり、メモリカードに対するデータの書き込み及び読み出しを制御する。音声入出力部１９は、マイクやスピーカなどで構成された音声入出力用デバイスである。撮影部２０は、いわゆるデジタルカメラとしての機能を担うものであり、画像を撮影してその画像を示すデータを生成することができる。第１無線通信部２１は、移動通信網１２０を介した音声通話やデータ通信を行うためのインタフェース部である。
【００２３】
第２無線通信部２２は、無線ＬＡＮ規格による通信（以下「無線ＬＡＮ通信」と称す）を行うためのインタフェース部である。本実施形態では、第２無線通信部２２が行う無線ＬＡＮ通信は、ＩＥＥＥ８０２．１１ｂ／ｇ／ｎの規格に準拠した無線ＬＡＮ通信である。携帯端末１０は、第２無線通信部２２を介して、ＡＰ１５０との間で、Ｗｉ−Ｆｉ（登録商標。以下同様。）規格に基づく無線通信（以下「Ｗｉ−Ｆｉ通信」と称す）を行うことができる。
【００２４】
ＡＰ１５０は、Ｗｉ−Ｆｉ通信を中継する中継装置である。ＡＰ１５０は、ルータ１５１を介してインターネット１１０に接続されている。よって、携帯端末１０は、ＡＰ１５０及びルータ１５１を介してインターネット１１０に接続でき、インターネット１１０に接続されているサーバ１６０とデータ通信することができる。なお、携帯端末１０は、第１無線通信部２１から移動通信網１２０経由でインターネット１１０に接続し、サーバ１６０とデータ通信することも可能である。
【００２５】
複合機３０は、印刷機能、スキャン機能、コピー機能、ファクシミリ機能などの各種機能を有している。複合機３０は、ＣＰＵ３１、ＲＯＭ３２、ＲＡＭ３３、ＮＶＲＡＭ（Non-Volatile RAM の略称）３４、無線通信部３５、スキャナ部３６、タッチパネル３７、ボタン入力部３８、及び表示部３９を備えている。これらの構成要素は、バスライン４０を介して互いに接続される。
【００２６】
ＲＯＭ３２は、各種のプログラムが記憶されている。ＣＰＵ３１は、ＲＯＭ３２やＮＶＲＡＭ３４に記憶されている各種プログラムを実行することにより、上述した複数の機能を実現する。
【００２７】
スキャナ部３６は、原稿の画像をスキャンして、そのスキャンデータを生成する。スキャナ部３６により生成されたスキャンデータは、ファクシミリ送信したり、不図示の印刷機構によってそのスキャンデータが示す画像を印刷出力させたり、無線通信部３５を介して外部へ無線送信したりすることができる。本実施形態では、携帯端末１０へスキャンデータを無線送信することができる。
【００２８】
表示部３９は、具体的には液晶表示装置であり、複合機３０の動作状態や設定画面等の各種の画像情報が表示される。ボタン入力部３８は、複合機３０のユーザによる入力操作受け付ける操作手段である。タッチパネル３７は、表示部３９における画像の表示領域全体に重畳配置されている。
【００２９】
無線通信部３５は、携帯端末１０の第２無線通信部２２と同様の構成であって同様の機能を有する。そのため、携帯端末１０と複合機３０は、ＡＰ１５０を介して相互にＷｉ−Ｆｉ通信を行うことができる。また、携帯端末１０と複合機３０は、Ｗｉ−Ｆｉ  Ｄｉｒｅｃｔ（登録商標。以下同様。）規格に基づく直接通信、すなわち、ＡＰ１５０を介さない無線通信も可能である。
【００３０】
なお、携帯端末１０及び複合機３０は、Ｗｉ−Ｆｉ以外の他のデータ通信方法によってデータ通信が可能な構成であってもよい。
サーバ１６０には、様々な種類のプログラムやデータが格納される。サーバ１６０に格納されているプログラムには、少なくとも、地図情報を提供するための地図情報提供プログラムが含まれる。携帯端末１０の媒体管理アプリ２７は、サーバ１６０の地図情報提供プログラムを利用するための特定の地図ＡＰＩ（Application Programming Interface の略称）を用いることで、サーバ１６０の地図情報提供プログラムによって提供される地図情報を取得することができ、これにより既述の地図情報取得機能を実現することができる。
【００３１】
（２）媒体管理システムの動作の概要
図１に示した媒体管理システムの動作のうち、特に媒体を管理するための媒体管理動作について、その概要を説明する。媒体管理システムにおける媒体管理動作は、主には、携帯端末１０の媒体管理アプリ２７によって実現される。媒体管理アプリ２７は、ＯＳ２６やリマインドアプリ２８と協調しつつ、媒体を管理するための各種の処理を実行する。
【００３２】
媒体管理システムにおける管理対象の媒体としては、主に、レシート、クーポン券、チケット、回数券、その他の各種金券、各種通知書などの、日常生活で受領したり購入したりすることがある様々な種類の媒体が想定されている。ただし、管理可能な媒体に特に限定はなく、情報が画像として記録されている媒体であって、且つその媒体記録画像を複合機３０でスキャンすることができる限り、あらゆる種類の媒体が管理対象となり得る。期限情報についても、あってもよいし、なくてもよい。
【００３３】
ここでは、管理対象の媒体として、図２に示すような、クーポン券の機能が付加されたレシート５０を例に挙げて、その管理動作を説明する。
図２に示すレシート５０は、ＡＡ苑という店名の飲食店を利用した際に利用者が店側から受領したものである。レシート５０には、精算情報５１と、クーポン情報５２とが表示されている。即ちこれら各情報５１，５２を示す画像（主にテキスト）がレシート５０の媒体（例えば紙の媒体）に記録されている。
【００３４】
精算情報５１は、ＡＡ苑で提供された飲食物に対する支払金額等の明細を示す。レシート５０としての一般的且つ基本的な機能はこの精算情報５１によって果たされる。
クーポン情報５２は、利用者に対して付加的に提供される情報である。このクーポン情報５２が記録されていることにより、レシート５０は、いわゆるクーポンとしての機能も有している。
【００３５】
なお、図２に示したレシート５０のように、同じ１つの媒体に精算情報５１とクーポン情報５２が記録されていることは必須ではなく、これら各情報５１，５２がそれぞれ別の媒体に記録されていてもよい。つまり、精算情報５１が記録されたレシートと、クーポン情報５２が記録されたクーポンとが、それぞれ別々の媒体によって提供されてもよい。
【００３６】
クーポン情報５２には、種別情報５３、割引金額情報５４、期限情報５５、店名情報５６、住所情報５７、及び電話番号情報５８が含まれる。種別情報５３は、利用者が享受可能なサービスの種別を示す情報である。本実施形態では、クーポンとして機能することを示す「クーポン券」というテキストが記録されている。割引金額情報５４は、利用可能な割引金額を示す情報である。期限情報５５は、クーポンを利用可能な期限日を示す情報である。店名情報５６は、クーポンを利用可能な店舗の名称を示す情報である。住所情報５７は、その店舗の所在地を示す情報である。電話番号情報５８は、その店舗の電話番号を示す情報である。
【００３７】
このレシート５０を管理するための手順や管理動作の一例を、図３を用いて説明する。レシート５０を管理するためには、ユーザは、携帯端末１０において媒体管理アプリ２７を起動させる。また、ユーザは、管理対象の媒体であるレシート５０を複合機３０にセットする。レシート５０に記録されている各種情報のうちどれをスキャンさせるかについては適宜決めることができ、例えば精算情報５１とクーポン情報５２を全て（つまりレシート５０全体をまとめて）スキャンさせるようにしてもよいし、特定の領域（例えばクーポン情報５２が記録されている領域）のみスキャンさせるようにしてもよい。本実施形態では、少なくともクーポン情報５２をスキャンできるようにレシート５０が複合機３０にセットされるものとする。
【００３８】
ユーザが、媒体管理アプリ２７における所定のスキャン指示入力画面からスキャン指示を入力すると、媒体管理アプリ２７は、複合機３０へ第２無線通信部２２を介してスキャン命令を無線送信する。
【００３９】
複合機３０は、携帯端末１０から送信されたスキャン命令を無線通信部３５を介して取得すると、セットされているレシート５０スキャンを実行し、そのスキャン結果であるスキャンデータを、無線通信部３５を介して携帯端末１０へ無線送信する。
【００４０】
携帯端末１０において、媒体管理アプリ２７は、複合機３０から送信されたスキャンデータを第２無線通信部２２を介して取得すると、そのスキャンデータに基づいて、媒体情報（ここではレシート５０の管理情報）を登録する。
【００４１】
具体的に、既述のＯＣＲ機能を用いて、スキャンデータが示す媒体記録画像からテキストを抽出し、認識してそのテキストデータを生成する。そして、その認識したテキストデータ、及びスキャンデータが示すスキャン画像を少なくとも含む媒体情報画面（図４参照）を、ＬＣＤ１６に表示させる。
【００４２】
本実施形態では、レシート５０に記録されている媒体記録画像中に、住所情報５７及び電話番号情報５８が含まれており、これら各情報５７，５８もＯＣＲ機能によってテキスト変換される。住所情報５７は、クーポンを利用可能な店舗の所在地を直接的に示している。また、電話番号情報５８は、それ自体は住所を示す情報ではないものの、電話番号から、その電話番号が割り当てられた加入者端末の所在地（即ち本実施形態ではクーポンを利用可能な店舗の所在地）を検索することが可能な場合もある。
【００４３】
そこで、媒体管理アプリ２７は、ＯＣＲ機能を用いて得られた住所情報５７のテキストデータを、地図ＡＰＩを用いてサーバ１６０の地図情報提供プログラムに送信し、そのテキストデータが示す場所を含む特定の範囲の地図画像を要求する。
【００４４】
なお、ＯＣＲ機能によって住所情報５７のテキストデータは得られなかったものの電話番号情報５８のテキストデータが得られた場合は、その電話番号情報５８のテキストデータを送信することで、その電話番号が割り当てられている加入者端末の所在地を含む特定の範囲の地図画像を要求する。住所情報５７と電話番号情報５８の双方のテキストデータが得られた場合は、両者をサーバ１６０に送信して、サーバ１６０側でそれら各テキストデータに基づいて地図画像を取得するように要求してもよい。
【００４５】
サーバ１６０は、媒体管理アプリ２７からの地図画像の要求に対し、その要求された範囲の地図画像であって、且つその該当する場所が特定の強調表示方法によって強調表示された地図画像のデータを生成し、携帯端末１０の媒体管理アプリ２７へ送信する。媒体管理アプリ２７は、サーバ１６０から地図画像のデータを取得した場合は、媒体情報画面にその地図画像を表示させることができる。
【００４６】
図４に、媒体管理アプリ２７によってＬＣＤ１６に表示される媒体情報画面６０の一例を示す。媒体情報画面６０には、媒体情報としての、タイトル情報６１、ＯＣＲ情報６２、スキャン画像６３、及び地図画像６４が表示される。また、媒体情報画面６０には、保管場所入力ボタン６６と、登録ボタン６７とが表示される。なお、スキャン画像６３が表示される領域の右側には、保管情報表示領域６５が設定されている。この保管情報表示領域６５には、レシート５０の保管場所が入力、保存された場合に、その保管場所を示す情報（媒体情報の１つ）が表示される。
【００４７】
タイトル情報６１は、レシート５０の媒体情報のタイトルであって、ユーザが任意に設定することができる。ＯＣＲ情報６２は、レシート５０のスキャンデータの中から、既述のＯＣＲ機能によってテキスト変換されたテキストを示す情報である。ＯＣＲ情報６２の表示方法は適宜考えられ、例えば、テキスト変換された内容をそのまま表示させてもよいし、テキストの内容を解析して所定の編集処理によって配置や内容を適宜編集して表示させてもよい。
【００４８】
登録ボタン６７は、表示されている媒体情報を登録（具体的には記憶部１４に記憶）するためのボタンである。この登録ボタン６７が押下されると、媒体情報画面６０に表示されている各種の媒体情報が、対応する媒体（ここではレシート５０）の媒体情報として正式に登録される。
【００４９】
保管場所入力ボタン６６は、管理対象の媒体（ここではレシート５０）の保管場所を示す保管場所情報を入力、保存することによりその保管場所情報を媒体情報の１つに含めて登録できるようにするためのボタンである。
【００５０】
保管場所入力ボタン６６が押下されると、図５に例示するような、保管場所情報を入力するための保管場所入力画面７０が、ＬＣＤ１６に表示される。保管場所入力画面７０には、タイトル情報７１、カメラ起動ボタン７２、画像確定ボタン７３、撮影画像７４、音声入力ＵＩ（ＵＩはユーザインタフェースの略称）７５、音声入力確定ボタン７６、文字入力ボックス７７、文字入力確定ボタン７８、及び保存ボタン７９が表示される。
【００５１】
本実施形態では、管理対象の媒体の保管場所を示す情報を、写真、音声、及び文字のうち少なくとも１つによって保存することができる。一例として、管理対象の媒体であるレシート５０を、室内の勉強机の引き出しに保管したとする。このとき、ユーザは、レシート５０を勉強机の引き出しに保管したことを、写真、音声、及び文字のうち少なくとも１つによって保存し、媒体情報として登録しておくことができる。
【００５２】
写真を利用して保管場所を保存しておきたい場合は、ユーザは、まずカメラ起動ボタン７２を押下すればよい。カメラ起動ボタン７２を押下すると、撮影部２０による画像撮影が可能な、撮影待機状態となる。この撮影待機状態において、ユーザが、レシート５０が保管されている勉強机の写真を撮影すると、ＬＣＤ１６には再び保管場所入力画面７０が表示され、撮影画像７４としてユーザが撮影した勉強机の画像が表示される。
【００５３】
ユーザは、撮影画像７４を見て、保管場所を示す画像を確認することができる。そして、画像確定ボタン７３を押下すると、表示されている撮影画像７４が、媒体の保管場所を示す保管場所情報の１つとして仮決定される。なお、保管場所の撮影をやり直したい場合は、再びカメラ起動ボタン７２を押下して撮影をやり直すことができる。
【００５４】
音声を利用して保管場所を保存しておきたい場合は、ユーザは、音声入力ＵＩ７５を操作することで音声を入力、保存することができる。音声入力ＵＩ７５には、録音ボタン７５ａ、停止ボタン７５ｂ、一時停止ボタン７５ｃ、戻りボタン７５ｄ、再生ボタン７５ｅ、及びスキップボタン７５ｆが含まれている。
【００５５】
ユーザが録音ボタン７５ａを押下すると、音声入出力部１９を介して音声を入力することが可能な、音声入力待機状態となる。音声入力待機状態中は、音声入出力部１９を介して入力された音声は全て録音される。そのため、ユーザが、レシート５０の保管場所に関する音声を発声すると、その内容が録音される。停止ボタン７５ｂを押下すると、音声入力待機状態が解除される。また、音声入力待機状態中に一時停止ボタン７５ｃを押下すれば、音声入力待機状態を一時的に解除することもできる。その場合、再び録音ボタン７５を押下することで、解除前の状態から続けて音声を入力することができる。
【００５６】
音声入力後は、再生ボタン７５ｅを押下することで、その入力した音声を再生させて確認することができる。再生位置（時系列的な位置）は、戻りボタン７５ｄで前に戻したり、逆にスキップボタン７５ｆで先に進めたりすることができる。そして、音声入力確定ボタン７６を押下すると、録音された音声情報が、媒体の保管場所を示す保管場所情報の１つとして仮決定される。なお、録音をやり直したい場合は、再び録音ボタン７５ａを押下して録音をやり直すことができる。
【００５７】
文字を利用して保管場所を保存しておきたい場合は、ユーザは、文字入力ボックス７７に対して文字の入力操作を行うことで、保管場所を示す文字を入力、保存することができる。具体的に、ユーザが文字入力ボックス７７内の任意の位置を押下すると、不図示の文字入力画面が表示され、文字を入力可能な状態となる。文字入力画面には、例えば、ソフトウェアキーボードと、入力中の文字を表示させるための文字表示欄とが表示される。
【００５８】
文字入力画面による文字入力を完了させると、再び保管場所入力画面７０が表示される。その際、文字入力ボックス７７には、直前の文字入力画面で入力された文字が表示される。そして、文字入力確定ボタン７８を押下すると、文字入力ボックス７７に表示されている文字情報が、媒体の保管場所を示す保管場所情報の１つとして仮決定される。
【００５９】
そして、保管場所入力画面７０中の保存ボタン７９を押下すると、そのとき仮決定されている保管場所情報が、媒体の保管場所を示す保管場所情報として正式に決定され、保存される。そして、ＬＣＤ１６の表示内容は、再び媒体情報画面６０に戻る。ただしこのとき、媒体情報画面６０の保管情報表示領域６５には、図６に示すように、保管場所情報が表示される。図６は、保管場所入力画面７０（図５参照）において保管場所情報として例えば撮影画像７４のみ保存された場合の媒体情報画面６０の一例、即ち保管情報表示領域６５にその撮影画像７４が表示された状態の媒体情報画面６０の一例を示している。
【００６０】
なお、保管場所情報として音声情報が保存されている場合は、保管情報表示領域６５には、その音声情報を再生させるための特定のＵＩ（例えば図５の音声入力ＵＩ７５に類するもの）が表示され、そのＵＩを用いて音声情報を再生させることができる。また、保管場所情報として文字情報が保存されている場合は、保管情報表示領域６５には、その文字情報を示すテキストが表示される。保管場所情報として、撮影画像、音声情報、及び文字情報のうち複数が保存されている場合は、その複数の保管場所情報がそれぞれ、保管情報表示領域６５に表示される。よって、ユーザは、保管情報表示領域６５に表示されている画像を見たりＵＩを操作したりすることで、媒体の保管場所に関する情報を確認することができる。
【００６１】
保管場所情報を更新したり変更したりしたい場合は、再び保管場所入力ボタン６６を押下して保管場所入力画面７０を表示させ、保管場所情報の入力をやり直せばよい。また、ＯＣＲ情報６２の内容に認識間違いがあるなど、その内容を修正したい場合は、ＯＣＲ情報６２が表示されている領域内の任意の位置を押下することで、ＯＣＲ情報６２を編集することもできる。
【００６２】
一方、現在保存されていて保管情報表示領域６５に表示されている保管場所情報で問題なければ、登録ボタン６７を押下することで、その保存されている保管場所情報が、他の各情報（タイトル情報６１、ＯＣＲ情報６２、スキャン画像６３、及び地図画像６４など）と共に、レシート５０の媒体情報として登録される。
【００６３】
媒体情報の登録は、具体的には、図７に例示する媒体情報テーブルに、登録対象の媒体情報を新規追加することにより行われる。図７の媒体情報テーブルは、媒体管理アプリ２７により生成されて記憶部１４に記憶される。
【００６４】
媒体情報テーブルには、登録されている媒体情報毎に、タイトル情報のデータ、ＯＣＲ情報のデータ、スキャン画像のデータ、地図画像のデータ、保管場所のデータ、及び期限情報のデータが対応付けられて記憶されている。なお、期限情報のデータは、ＯＣＲ情報のデータに含まれているため、省いてもよい。
【００６５】
媒体管理アプリ２７は、登録されている媒体情報のタイトルを一覧表示させる場合や、上記のように新規に媒体情報を登録する場合など、必要に応じて、記憶部１４に記憶されている媒体情報テーブルを参照したり、媒体情報テーブルの内容を更新したりする。
【００６６】
図３に戻って説明を続ける。図４〜図６を用いて説明した手順を経て媒体情報が登録されると、媒体管理アプリ２７は、リマインドアプリ２８へ起動要求を送ることによりリマインドアプリ２８を起動させる。そして、登録された媒体情報をリマインドアプリ２８へ通知する。
【００６７】
リマインドアプリ２８は、起動後、媒体管理アプリ２７から媒体情報が通知されると、その媒体情報を保存する。そして、媒体情報に含まれている期限情報を抽出し、その期限情報に基づいて、リマインド登録を行う。具体的には、媒体情報に含まれている期限情報が示す期限日の当日、又は期限日よりも特定日数前にユーザに通知すべきリマインド項目として、その媒体情報を登録する。
【００６８】
リマインドアプリ２８は、定期的に（例えば少なくとも１日に１回）起動し、その起動時にユーザに通知すべきリマインド項目を抽出する。そして、その抽出したリマインド項目が一覧表示されたリマインド一覧画面９０（図８）をＬＣＤ１６に表示させる。
【００６９】
図８に示すように、リマインド一覧画面９０には、通知すべきリマインド項目の項目名が表示された項目ボタンが、リマインド項目毎に配列されて表示される。図８に示すリマインド一覧画面９０には、リマインド項目として、レシート５０の媒体情報がリストアップされている。レシート５０の媒体情報に対応した項目ボタン９２には、「ＡＡ苑  １００円クーポン  １２／２０切」と表示されており、ユーザは、この表示を見て、レシート５０のクーポン情報が通知されていること、及びその内容を知ることができる。
【００７０】
ユーザがこの項目ボタン９２を押下すると、リマインドアプリ２８は、押下された項目ボタン９２に対応付けられているリマインド項目が媒体管理アプリ２７から通知された媒体情報に対応したものであるかどうか判断する。そして、媒体管理アプリ２７から通知された媒体情報に対応したリマインド項目であると判断した場合は、媒体管理アプリ２７を起動させて、そのリマインド項目に対応した媒体情報を対象としたリマインド通知を媒体管理アプリ２７へ送信する。
【００７１】
なお、ユーザによる項目ボタン９２の押下操作の有無にかかわらず、リマインド一覧画面９０にリマインド項目として媒体情報が表示された場合は、自動的にそのリマインド項目に対応したリマインド通知を媒体管理アプリ２７へ送信するようにしてもよい。
【００７２】
媒体管理アプリ２７は、起動後、リマインドアプリ２８からリマインド通知を受信すると、そのリマインド通知による通知対象の媒体情報をＬＣＤ１６に表示させる。具体的には、その媒体情報を対象として、図４及び図６に例示した媒体情報画面６０を表示させる。これにより、ユーザは、リマインドアプリ２８により通知されたリマインド項目について、その詳細情報を、媒体情報画面６０に基づいて確認することができる。
【００７３】
（３）媒体管理処理の説明
次に、携帯端末１０において実行される媒体管理処理について、図９，図１０を用いて説明する。携帯端末１０のＣＰＵ１１は、特定の起動要因が発生した場合に、記憶部１４に記憶されている媒体管理アプリ２７のプログラムを読み込んで実行することにより、図９，図１０の媒体管理処理を実行する。
【００７４】
媒体管理アプリ２７の起動要因（即ち媒体管理処理の起動要因）として、本実施形態では、通常起動要求と、リマインドアプリ２８からのリマインド通知とがある。リマインドアプリ２８からリマインド通知を取得した場合に媒体管理アプリ２７が起動されることは既述の通りである。通常起動要求とは、ユーザによる、媒体管理アプリ２７を起動させるための特定の起動操作が行われることである。
【００７５】
携帯端末１０のＣＰＵ１１は、起動要因発生によって媒体管理処理を開始すると、Ｓ１１０で、起動要因を判断する。起動要因が通常起動要求である場合は、Ｓ１２０に進む。Ｓ１２０では、メニュー画面（不図示）を表示する。メニュー画面には、媒体情報の新規登録（以下「新規登録」という）、及び登録済み媒体情報のタイトルの一覧表示（以下「登録一覧」という）、の何れかをユーザに選択させるための選択ボタンが表示されている。ユーザは、メニュー画面において、新規登録又は登録一覧を選択することができる。
【００７６】
Ｓ１３０では、メニュー画面に対する、ユーザによるメニュー選択操作を受け付ける。ユーザにより新規登録が選択された場合は、Ｓ２１０（図１０参照）に進む。Ｓ２１０では、ユーザによる媒体のスキャン指示入力を受け付ける。具体的には、既述のスキャン指示入力画面を表示させてユーザによるスキャン指示の入力を受け付ける。スキャン指示が入力されると、Ｓ２２０で、複合機３０へスキャン命令を送信する。Ｓ２３０では、Ｓ２２０で送信したスキャン命令に従って複合機３０で生成されたスキャンデータを、複合機３０から受信する。
【００７７】
Ｓ２４０では、受信したスキャンデータに基づき、媒体情報抽出処理を行う。この媒体情報抽出処理は、スキャンデータから、スキャン対象の媒体に関する情報を抽出する処理であり、少なくとも、スキャンデータが示すスキャン画像を表示用に展開する処理、既述のＯＣＲ機能に基づく、スキャン画像中のテキストを認識する処理と、地図情報取得機能に基づく、媒体情報に含まれる店舗等の所在地を含む地図画像を取得する処理とが含まれる。
【００７８】
Ｓ２５０では、Ｓ２４０の媒体情報抽出処理によって得られた各種の媒体情報を含む媒体情報画面６０（図４，図６参照）をＬＣＤ１６に表示させる。Ｓ２６０では、保管場所の登録要求がなされたか否か判断する。具体的には、媒体情報画面６０内の保管場所入力ボタン６６が押下されたか否か判断する。
【００７９】
保管場所の登録要求がなされた場合、即ち保管場所入力ボタン６６が押下された場合は、Ｓ２７０で、保管場所登録処理を実行する。具体的には、図５を用いて説明したように、保管場所入力画面７０をＬＣＤ１６に表示させて、媒体の保管場所を示す情報の入力を受け付ける。そして、保管場所入力画面７０内の保存ボタン７９が押下されたら、入力されている保管場所情報を保存して、Ｓ２５０に戻る。
【００８０】
Ｓ２６０で、保管場所の登録要求がなされていない場合は、Ｓ２８０で、媒体情報の登録指示がなされたか否か、即ち登録ボタン６７が押下されたか否か判断する。登録ボタン６７が押下されていない場合は、Ｓ２６０に戻る。なお、図１０では図示を省略したが、登録ボタン６７が押下されるまでは、既述の通り、ＯＣＲ情報６２の内容を編集することができる。登録ボタン６７が押下された場合は、Ｓ２９０で、その時点で媒体情報画面６０に表示されている媒体情報を登録する。
【００８１】
Ｓ３００では、リマインドアプリ２８へ起動要求を送ることによりリマインドアプリ２８を起動させる。Ｓ３１０では、リマインドアプリ２８へ、Ｓ２９０で登録した媒体情報を通知する。Ｓ３１０の処理後はＳ１２０（図９）に戻る。
【００８２】
図９において、Ｓ１３０で、メニュー画面においてユーザにより登録一覧が選択された場合は、Ｓ１４０に進む。Ｓ１４０では、記憶部１４に記憶されている媒体情報テーブル（図７参照）を参照して、すでに登録されている媒体情報の情報名（例えばタイトル情報）を一覧表示させる。Ｓ１５０では、Ｓ１４０で一覧表示させた各情報名のうち何れかを選択する選択操作を受け付ける。Ｓ１６０では、Ｓ１５０で選択された情報名に対応した媒体情報を媒体情報テーブルから読み取って媒体情報画面としてＬＣＤ１６に表示させる。
【００８３】
Ｓ１７０では、表示されている媒体情報中の保管場所情報について、ユーザによる変更要求がなされたか否かを判断する。具体的には、Ｓ２６０と同様、媒体情報画面６０内の保管場所入力ボタン６６が押下されたか否か判断する。保管場所情報の変更要求がなされた場合、即ち保管場所入力ボタン６６が押下された場合は、Ｓ２７０（図１０）に進む。保管場所情報の変更要求がなされていない場合は、Ｓ１８０で、媒体情報画面６０の表示を終了させるための特定の表示終了操作がなされたか否か判断する。表示終了操作がなされていない場合はＳ１７０に戻り、表示終了操作がなされた場合はＳ１２０に戻る。
【００８４】
Ｓ１１０で、起動要因がリマインドアプリ２８からのリマインド通知である場合は、Ｓ３６０に進む。Ｓ３６０では、リマインドアプリ２８からのリマインド通知を取得する。Ｓ３７０では、Ｓ３６０で取得したリマインド通知による通知対象の媒体情報を媒体情報テーブルから読み取って媒体情報画面としてＬＣＤ１６に表示させる。Ｓ３７０の処理後はＳ１７０に進む。
【００８５】
（４）実施形態の効果
以上説明した本実施形態の携帯端末１０によれば、媒体管理アプリ２７を実行させることで、複合機３０に対して媒体から媒体記録画像をスキャンさせてそのスキャンデータを取得することができる。そして、その媒体に関し、取得したスキャンデータに基づいて媒体情報を取得し、その媒体情報を登録することができる。また、媒体情報には、媒体の保管場所を示す保管場所情報を含めることができる。そして、登録された媒体情報を出力させることができる。具体的には、例えば登録済み媒体情報の一覧画面から表示対象として選択された場合や、リマインドアプリ２８からリマインド通知を受信した場合などに、媒体情報画面６０において媒体情報を表示させることができる。そのため、レシート５０やチケットなどの、各種情報の画像が記録された媒体を、少ない手間で適切に保管することが可能となる。
【００８６】
また、本実施形態の媒体管理アプリ２７によれば、図４，図６に例示したように、媒体情報として、ＯＣＲ情報６２及び媒体のスキャン画像６３が表示される。さらに、地図画像６４を取得できた場合にはその地図画像６４も媒体情報として表示され、保管場所情報が入力、保存された場合にはその保管場所情報も、媒体情報として、保管情報表示領域６５内に表示される。
【００８７】
媒体情報として媒体のスキャン画像６３が表示されることで、ユーザは、対応する媒体を、その媒体の形やその媒体内における画像の記録状態（範囲、大きさ、形状、配置状態等）などから多面的に確認することができ、その媒体がどのような媒体であったかを容易に認識することができる。
【００８８】
また、本実施形態では、保管場所情報を、写真、音声、及び文字のうち少なくとも１つによって保存することができる。保管場所情報の保存を写真によって行うことで、その写真の内容に基づいて媒体の保管場所を容易且つ適切に確認することができる。また、保管場所情報の保存を音声によって行うことによっても、その音声情報に基づいて媒体の保管場所を容易且つ適切に確認することができる。しかも、写真に比べて少ないデータ量で保管場所情報を保存することができる。また、保管場所情報の保存を文字によって行うことによっても、その文字情報に基づいて媒体の保管場所を容易且つ適切に確認することができる。しかも、音声に比べてさらに少ないデータ量で保管場所情報を保存することができる。
【００８９】
また、本実施形態の媒体管理アプリ２７によれば、媒体情報が登録されると、その媒体情報がリマインドアプリ２８に通知される。そして、媒体情報の中に（詳しくはＯＣＲ情報の中に）期限情報が含まれている場合は、リマインドアプリ２８によって、その期限情報に基づくリマインド登録がなされる。そして、通知すべきタイミングが到来するか、或いはユーザによりリマインド一覧画面９０（図８）から当該媒体情報が選択されると、リマインドアプリ２８から媒体管理アプリ２７にリマインド通知が行われる。このリマインド通知により、媒体管理アプリ２７が自動的に起動されて、リマインド通知対象の媒体情報が媒体情報画面６０として表示される。そのため、媒体が期限情報を有する場合に、その期限情報を考慮しつつ、その媒体をより適切に保管することができる。
【００９０】
なお、本実施形態において、媒体管理アプリ２７は本発明の媒体管理プログラムの一例に相当する。携帯端末１０は本発明の情報処理装置の一例に相当する。携帯端末１０のＣＰＵ１１は本発明の制御部の一例に相当する。ＬＣＤ１６は本発明の表示部の一例に相当する。第２無線通信部２２は本発明の通信部の一例に相当する。リマインドアプリ２８は本発明の期限管理モジュールの一例に相当する。複合機３０は本発明の画像読取装置の一例に相当する。媒体情報画面６０に表示されるＯＣＲ情報６２及びスキャン画像６３は本発明の画像関連情報の一例に相当する。音声入出力部１９は本発明の音声信号出力部の一例に相当する。
【００９１】
また、Ｓ２２０の処理は本発明の送信処理の一例に相当する。Ｓ２３０の処理は本発明の受信処理の一例に相当する。Ｓ２７０の処理は本発明の情報取得処理の一例に相当する。Ｓ２９０の処理は本発明の記憶処理の一例に相当する。Ｓ１６０及びＳ３７０の処理は本発明の情報出力処理の一例に相当する。このうち特にＳ３７０の処理は、本発明の期限関連処理及び出力指示処理の一例に相当する。Ｓ２４０の処理は本発明のテキスト認識処理及び期限情報抽出処理の一例に相当する。Ｓ３１０の処理は本発明の通知処理の一例に相当する。Ｓ３６０の処理は本発明の報知要求取得処理の一例に相当する。
【００９２】
［他の実施形態］
以上、本発明の実施形態について説明したが、本発明は上記実施形態に限定されることなく、種々の形態を採り得る。
【００９３】
（１）媒体管理アプリ２７が、リマインドアプリ２８の機能を備えていてもよい。その場合、上記実施形態における、媒体管理アプリ２７とリマインドアプリ２８とによって実行される各種処理を、媒体管理アプリ２７のみによって実行させることができる。
【００９４】
（２）保管場所情報の入力方法は、上記実施形態で説明した方法に限定されない。例えば、写真、音声、テキストの何れも、携帯端末１０自身で直接撮影或いは直接入力することに限らず、外部から各々のデータを入力できるようにしてもよい。
【００９５】
（３）リマインド通知を受信するタイミングと、そのリマインド通知に対応した媒体情報を表示させるタイミングは、ほぼ同じタイミングであってもよいし、特定の時間差を設けてもよい。
【００９６】
（４）媒体管理アプリ２７を実行させることが可能な情報処理装置は、携帯端末１０に限定されない。プログラムに従った処理を実行可能であって、レシート等の画像記録媒体をスキャンする機能を備えた装置とデータ通信可能に構成された、あらゆる種類の情報処理装置に対して、本発明を適用することができる。
【００９７】
（５）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００９８】
１０…携帯端末、１１，３１…ＣＰＵ、１２，３２…ＲＯＭ、１３，３３…ＲＡＭ、１４…記憶部、１５…操作キー、１６…ＬＣＤ、１７…タッチパネル、１８…メモリカードＩ／Ｆ、１９…音声入出力部、２０…撮影部、２１…第１無線通信部、２２…第２無線通信部、２３，４０…バスライン、２７…媒体管理アプリ、２７…アプリ、２８…リマインドアプリ、３０…複合機、３４…ＮＶＲＡＭ、３５…無線通信部、３６…スキャナ部、３７…タッチパネル、３８…ボタン入力部、３９…表示部、５０…レシート、５１…精算情報、５２…クーポン情報、５３…種別情報、５４…割引金額情報、５５…期限情報、５６…店名情報、５７…住所情報、５８…電話番号情報、６０…媒体情報画面、６１，７１…タイトル情報、６２…ＯＣＲ情報、６３…スキャン画像、６４…地図画像、６５…保管情報表示領域、６６…保管場所入力ボタン、６７…登録ボタン、７０…保管場所入力画面、７２…カメラ起動ボタン、７３…画像確定ボタン、７４…撮影画像、７５…音声入力ＵＩ、７６…音声入力確定ボタン、７７…文字入力ボックス、７８…文字入力確定ボタン、７９…保存ボタン、９０…リマインド一覧画面、９２…項目ボタン、１１０…インターネット、１２０…移動通信網、１５１…ルータ、１６０…サーバ。
【図１】
2016143186.tif 000003
【図２】
2016143186.tif 000004
【図５】
2016143186.tif 000005
【図７】
2016143186.tif 000006
【図８】
2016143186.tif 000007
【図９】
2016143186.tif 000008
【図１０】
2016143186.tif 000009
【図３】
2016143186.tif 000010
【図４】
2016143186.tif 000011
【図６】
2016143186.tif 000012